(57)【要約】【課題】タッチセンシティブデバイスまたはタッチスクリーンデバイスを有する電子デバイスにおける改良を提供すること。【解決手段】ポータブル電子デバイスのタッチセンシティブディスプレイ上の複数の位置に関連付けられる第１の複数の文字をインプットするためのインタフェース領域を描画することと、タッチセンシティブディスプレイによって、タッチセンシティブディスプレイ上の第１の方向への第１のしぐさを検出することと、第１のしぐさを検出することに応答して第２の組の文字を該複数の位置に関連付けることとを包含する、方法。【選択図】図１
2011103125.tif 000002
【特許請求の範囲】
【請求項１】
ポータブル電子デバイスのタッチセンシティブディスプレイ上の複数の位置に関連付けられる第１の複数の文字をインプットするためのインタフェース領域を描画することと、
該タッチセンシティブディスプレイによって、該タッチセンシティブディスプレイ上の第１の方向への第１のしぐさを検出することと、
該第１のしぐさを検出することに応答して第２の組の文字を該複数の位置に関連付けることと
を包含する、方法。
【請求項２】
後続するタッチが前記第２の組の文字のうちの１つの文字に関連付けられた位置において検出されたとき、該第２の組の文字のうちの該１つの文字を入力することを包含する、請求項１に記載の方法。
【請求項３】
前記第１のしぐさの方向を決定することを包含し、前記第２の組の文字を関連付けることは、該第１のしぐさの該方向に基づいて関連付けることを包含する、請求項１に記載の方法。
【請求項４】
前記第１のしぐさの前記方向を決定することは、前記描画されたインタフェース領域の配向に対して水平方向のスワイプおよび垂直方向のスワイプのうちの１つを決定することを包含する、請求項３に記載の方法。
【請求項５】
前記第１のしぐさの前記方向を決定することは、前記描画されたインタフェース領域の配向に対して、右方向および左方向のうちの１つを決定するか、または上方向および下方向のうちの１つを決定することを包含する、請求項３に記載の方法。
【請求項６】
前記第１のしぐさは、１回のスワイプおよび複数回タッチのスワイプのうちの１つを検出することを包含する、請求項１に記載の方法。
【請求項７】
前記第１のしぐさが複数回タッチのスワイプであるとき、さらなるしぐさが検出されるまで、前記第２の組の文字を前記複数の位置に関連付ける、請求項１に記載の方法。
【請求項８】
前記第２の組の文字が、さらなるしぐさが検出されるまで前記複数の位置に関連付けられる視覚インジケータを表示することを包含する、請求項１に記載の方法。
【請求項９】
第２のしぐさが前記タッチセンシティブディスプレイ上の第２の方向において検出されたとき、第１の組の文字を前記複数の位置に関連付けることを包含し、該第２の方向は前記第１の方向とは反対である、請求項１に記載の方法。
【請求項１０】
前記第１のしぐさが１回のしぐさであるとき、前記複数の位置のうちの１つにおいてタッチが検出された後、第１の組の文字を該複数の位置に関連付ける、請求項１に記載の方法。
【請求項１１】
前記第１のしぐさが垂直方向のしぐさであるとき、第２の組の文字を関連付けることは、前記第１の複数の文字の大文字形を前記複数の位置に関連付けることを包含する、請求項１に記載の方法。
【請求項１２】
前記第１のしぐさを検出することに応答して、前記第２の組の文字を前記インタフェース領域に描画することを包含する、請求項１に記載の方法。
【請求項１３】
第２のしぐさが前記タッチセンシティブディスプレイ上の前記第１の方向において検出されたとき、第３の組の文字を前記複数の位置に関連付けることを包含する、請求項１に記載の方法。
【請求項１４】
後続するタッチが前記第３の組の文字のうちの１つの文字に関連付けられた位置において検出されたとき、該第３の組の文字のうちの該１つの文字を入力することを包含する、請求項１３に記載の方法。
【請求項１５】
前記第２のしぐさを検出することに応答して、前記第３の組の文字を前記インタフェース領域に描画することを包含する、請求項１４に記載の方法。
【請求項１６】
請求項１〜１５のいずれかに記載の方法を実行するために、ポータブル電子デバイスの少なくとも１つのプロセッサによって実行可能なコンピュータ読み取り可能コードを有する、コンピュータ読み取り可能媒体。
【請求項１７】
タッチセンシティブディスプレイであって、該タッチセンシティブディスプレイ上の複数の位置に関連付けられる第１の複数の文字をインプットするためのインタフェース領域を描画することと、第１の方向において第１のしぐさを検出することとを行うように構成される、タッチセンシティブディスプレイと、
プロセッサであって、該第１のしぐさが検出されたとき、第２の組の文字を該複数の位置に関連付けるように構成される、プロセッサと
を備えている、ポータブル電子デバイス。
【発明の詳細な説明】
【技術分野】
【０００１】
本開示は、概して、タッチスクリーンディスプレイを含むポータブル電子デバイスおよび電子デバイスの制御に関する。
【背景技術】
【０００２】
ポータブル電子デバイスを含む電子デバイスは、広範囲に使用されてきており、例えば電話による電子メッセージ送達および他の個人情報マネージャ（ＰＩＭ）アプリケーション機能を含む様々な機能を提供し得る。ポータブル電子デバイスは、単純なセルラ電話、スマート電話、ワイヤレスＰＤＡ、およびワイヤレス８０２．１１またはＢｌｕｅｔｏｏｔｈの機能を有するラップトップコンピュータなどのモバイルステーションを含むいくつかのタイプのデバイスを含む。
【０００３】
ＰＤＡまたはスマート電話などのポータブル電子デバイスは、概して、ハンドヘルド用途および可搬性の容易さを意図されている。より小さいデバイスは、概して、可搬性に望ましい。タッチスクリーンディスプレイとしても公知のタッチセンシティブディスプレイは、小型で、入出力のためのスペースが制限されるハンドヘルドデバイスに特に有用である。タッチセンシティブディスプレイに表示される情報は、実行されている機能および動作に依存して修正され得る。ポータブル電子デバイスのサイズの縮小に対する継続した要求に伴って、タッチセンシティブディスプレイはサイズの減少が続いている。
【発明の概要】
【発明が解決しようとする課題】
【０００４】
タッチセンシティブデバイスまたはタッチスクリーンデバイスを有する電子デバイスにおける改良が望ましい。
【課題を解決するための手段】
【０００５】
（概要）
方法は、ポータブル電子デバイスのタッチセンシティブディスプレイ上の複数の位置に関連付けられる第１の複数の文字をインプットするためのインタフェース領域を描画することと、タッチセンシティブディスプレイによって、タッチセンシティブディスプレイ上の第１の方向への第１のしぐさを検出することと、第１のしぐさを検出することに応答して第２の組の文字を複数の位置に関連付けることとを含み得る。
【０００６】
コンピュータ読み取り可能媒体は、上記の方法を実行するために、ポータブル電子デバイスの少なくとも１つのプロセッサによって実行可能なコンピュータ読み取り可能コードを有し得る。
【０００７】
ポータブル電子デバイスは、タッチセンシティブディスプレイであって、タッチセンシティブディスプレイ上の複数の位置に関連付けられる第１の複数の文字をインプットするためのインタフェース領域を描画することと、第１の方向において第１のしぐさを検出することとを行うように構成される、タッチセンシティブディスプレイを備え得る。ポータブル電子デバイスはまた、プロセッサであって、第１のしぐさが検出されたとき、第２の組の文字を複数の位置に関連付けるように構成される、プロセッサを備え得る。
【０００８】
例えば、本発明は以下の項目を提供する。
（項目１）
ポータブル電子デバイスのタッチセンシティブディスプレイ上の複数の位置に関連付けられる第１の複数の文字をインプットするためのインタフェース領域を描画することと、
該タッチセンシティブディスプレイによって、該タッチセンシティブディスプレイ上の第１の方向への第１のしぐさを検出することと、
該第１のしぐさを検出することに応答して第２の組の文字を該複数の位置に関連付けることと
を包含する、方法。
（項目２）
後続するタッチが上記第２の組の文字のうちの１つの文字に関連付けられた位置において検出されたとき、該第２の組の文字のうちの該１つの文字を入力することを包含する、上記項目のいずれかに記載の方法。
（項目３）
上記第１のしぐさの方向を決定することを包含し、上記第２の組の文字を関連付けることは、該第１のしぐさの該方向に基づいて関連付けることを包含する、上記項目のいずれかに記載の方法。
（項目４）
上記第１のしぐさの上記方向を決定することは、上記描画されたインタフェース領域の配向に対して水平方向のスワイプおよび垂直方向のスワイプのうちの１つを決定することを包含する、上記項目のいずれかに記載の方法。
（項目５）
上記第１のしぐさの上記方向を決定することは、上記描画されたインタフェース領域の配向に対して、右方向および左方向のうちの１つを決定するか、または上方向および下方向のうちの１つを決定することを包含する、上記項目のいずれかに記載の方法。
（項目６）
上記第１のしぐさは、１回のスワイプおよび複数回タッチのスワイプのうちの１つを検出することを包含する、上記項目のいずれかに記載の方法。
（項目７）
上記第１のしぐさが複数回タッチのスワイプであるとき、さらなるしぐさが検出されるまで、上記第２の組の文字を上記複数の位置に関連付ける、上記項目のいずれかに記載の方法。
（項目８）
上記第２の組の文字が、さらなるしぐさが検出されるまで上記複数の位置に関連付けられる視覚インジケータを表示することを包含する、上記項目のいずれかに記載の方法。
（項目９）
第２のしぐさが上記タッチセンシティブディスプレイ上の第２の方向において検出されたとき、第１の組の文字を上記複数の位置に関連付けることを包含し、該第２の方向は上記第１の方向とは反対である、上記項目のいずれかに記載の方法。
（項目１０）
上記第１のしぐさが１回のしぐさであるとき、上記複数の位置のうちの１つにおいてタッチが検出された後、第１の組の文字を該複数の位置に関連付ける、上記項目のいずれかに記載の方法。
（項目１１）
上記第１のしぐさが垂直方向のしぐさであるとき、第２の組の文字を関連付けることは、上記第１の複数の文字の大文字形を上記複数の位置に関連付けることを包含する、上記項目のいずれかに記載の方法。
（項目１２）
上記第１のしぐさを検出することに応答して、上記第２の組の文字を上記インタフェース領域に描画することを包含する、上記項目のいずれかに記載の方法。
（項目１３）
第２のしぐさが上記タッチセンシティブディスプレイ上の上記第１の方向において検出されたとき、第３の組の文字を上記複数の位置に関連付けることを包含する、上記項目のいずれかに記載の方法。
（項目１４）
後続するタッチが上記第３の組の文字のうちの１つの文字に関連付けられた位置において検出されたとき、該第３の組の文字のうちの該１つの文字を入力することを包含する、上記項目のいずれかに記載の方法。
（項目１５）
上記第２のしぐさを検出することに応答して、上記第３の組の文字を上記インタフェース領域に描画することを包含する、上記項目のいずれかに記載の方法。
（項目１６）
上記項目のいずれかに記載の方法を実行するために、ポータブル電子デバイスの少なくとも１つのプロセッサによって実行可能なコンピュータ読み取り可能コードを有する、コンピュータ読み取り可能媒体。
（項目１７）
タッチセンシティブディスプレイであって、該タッチセンシティブディスプレイ上の複数の位置に関連付けられる第１の複数の文字をインプットするためのインタフェース領域を描画することと、第１の方向において第１のしぐさを検出することとを行うように構成される、タッチセンシティブディスプレイと、
プロセッサであって、該第１のしぐさが検出されたとき、第２の組の文字を該複数の位置に関連付けるように構成される、プロセッサと
を備えている、ポータブル電子デバイス。
【０００９】
(摘要）
方法は、ポータブル電子デバイスのタッチセンシティブディスプレイ上の複数の位置に関連付けられる第１の複数の文字をインプットするためのインタフェース領域を描画することと、タッチセンシティブディスプレイによって、タッチセンシティブディスプレイ上の第１の方向への第１のしぐさを検出することと、しぐさを検出することに応答して第２の組の文字を複数の位置に関連付けることとを含む。
【図面の簡単な説明】
【００１０】
【図１】図１は、本開示に従うポータブル電子デバイスのブロック図である。
【図２】図２は、本開示に従うポータブル電子デバイスのタッチセンシティブディスプレイに表示される選択可能な特徴の選択を容易にする方法を例示するフローチャートである。
【図３】図３〜図５は、本開示に従うポータブル電子デバイスのタッチセンシティブディスプレイにおける一連のタッチの例を示す。
【図４】図３〜図５は、本開示に従うポータブル電子デバイスのタッチセンシティブディスプレイにおける一連のタッチの例を示す。
【図５】図３〜図５は、本開示に従うポータブル電子デバイスのタッチセンシティブディスプレイにおける一連のタッチの例を示す。
【図６】図６は、本開示に従うポータブル電子デバイスのタッチセンシティブディスプレイにおける一連のタッチの例を示す。
【図７】図７は、本開示に従うポータブル電子デバイスのタッチセンシティブディスプレイにおける一連のタッチの例を示す。
【図８】図８は、本開示に従うポータブル電子デバイスのタッチセンシティブディスプレイにおける一連のタッチの例を示す。
【発明を実施するための形態】
【００１１】
（好ましい実施形態の説明）
以下のことは、ポータブル電子デバイスの装置およびポータブル電子デバイスを制御する方法を説明する。ポータブル電子デバイスのタッチセンシティブディスプレイ上の複数の位置に関連付けられる第１の複数の文字を入力するために、インタフェース領域が与えられる。タッチセンシティブディスプレイ上の第１の方向への第１のしぐさは、検出され、しぐさを検出することに応答して、第２の組の文字を複数の位置に関連付ける。
【００１２】
例示の単純化および明快さのために、対応する要素または類似の要素を示す参照番号が複数の図において繰り返され得る。さらに、本明細書において説明される実施形態の完全な理解を提供するために、多数の特定の詳細が述べられる。本明細書に説明される実施形態は、これらの特定の詳細なしに実施され得る。他の例において、周知の方法、手順および構成要素は、本明細書に説明される実施形態を不明瞭にしないために、詳細には説明されない。また、説明は、本明細書に説明される実施形態の範囲を限定するものとして考えられるべきではない。
【００１３】
本開示は、概して電子デバイスに関し、電子デバイスは、本明細書に説明される実施形態においてポータブル電子デバイスである。ポータブル電子デバイスの例は、ページャー、セルラフォン、セルラスマートフォン、ワイヤレスオーガナイザ、携帯情報端末、ワイヤレスにイネーブルされるノートブックコンピュータなどのモバイルワイヤレス通信デバイスまたはハンドヘルドワイヤレス通信デバイスを含む。ポータブル電子デバイスはまた、ハンドヘルド電子ゲームデバイス、デジタル写真アルバム、デジタルカメラ、または他のデバイスなどの、ワイヤレス通信機能のないポータブル電子デバイスであり得る。
【００１４】
ポータブル電子デバイス１００の実施形態の例のブロック図は、図１に示される。ポータブル電子デバイス１００は、ポータブル電子デバイス１００の全体の動作を制御するプロセッサ１０２などの若干数の構成要素を含む。データ通信および音声通信を含む通信機能は、通信サブシステム１０４を介して実行される。ポータブル電子デバイス１００が受信するデータは、デコーダ１０６によって解凍および解読される。通信サブシステム１０４は、ワイヤレスネットワーク１５０からメッセージを受信し、ワイヤレスネットワーク１５０にメッセージを送信する。ワイヤレスネットワーク１５０は、データ中心無線ネットワークと、音声中心ワイヤレスネットワークと、同じ物理的ベースステーションによって音声通信およびデータ通信をサポートするデュアルモードネットワークとを含むがこれらに限定されない任意のタイプのワイヤレスネットワークであり得る。ポータブル電子デバイス１００は、バッテリ式デバイスであり、１つ以上の蓄バッテリ１４４を受容するためのバッテリインタフェース１４２を含む。
【００１５】
プロセッサ１０２はまた、ランダムアクセスメモリ（ＲＡＭ）１０８、メモリ１１０、電子コントローラ１１６に接続されたタッチセンシティブオーバレイ１１４であって、電子コントローラ１１６とタッチセンシティブオーバレイ１１４が一緒になってタッチセンシティブディスプレイ１１８を構成する、タッチセンシティブオーバレイ１１４を有するディスプレイ１１２、アクチュエータ１２０、力センサ１２２、補助入力／出力（Ｉ／Ｏ）サブシステム１２４、データポート１２６、スピーカ１２８、マイクロホン１３０、短距離通信施設１３２および他のデバイスサブシステム１３４などの追加のサブシステムと対話する。プロセッサ１０２は、電子コントローラ１１６を介してタッチセンシティブオーバレイ１１４と対話する。プロセッサ１０２はまた、図１に示されるように、加速度計１３６とも対話し得る。試験用重りを有する片持ちばりと、適切なたわみ感知回路とを含み得る。加速度計１３６は、重力または重力を引き起こす反作用力の方向を検出するために利用され得る。
【００１６】
本実施形態に従って、ネットワークアクセスの加入者を識別するために、ポータブル電子デバイス１００は、Ｓｕｂｓｃｒｉｂｅｒ  Ｉｄｅｎｔｉｔｙ  ＭｏｄｕｌｅまたはＲｅｍｏｖａｂｌｅ  Ｕｓｅｒ  Ｉｄｅｎｔｉｔｙ  Ｍｏｄｕｌｅ（ＳＩＭ／ＲＵＩＭ）カード１３８を用い、ＳＩＭ／ＲＵＩＭカード１３８は、ワイヤレスネットワーク１５０などのネットワークと通信するためにＳＩＭ／ＲＵＩＭインタフェース１４０の中に挿入される。代わりにユーザ識別情報は、メモリ１１０の中にプログラムされ得る。
【００１７】
ポータブル電子デバイス１００はまた、プロセッサ１０２によって実行され、典型的にはメモリ１１０などの持続性の更新可能記憶装置に記憶されるオペラーティングシステム１４６およびソフトウェア構成要素１４８を含む。さらなるアプリケーションは、ワイヤレスネットワーク１５０、補助Ｉ／Ｏサブシステム１２４、データポート１２６、短距離通信サブシステム１３２、または任意の他の適切なデバイスサブシステム１３４を介してポータブル電子デバイス１００の中にロードされ得る。
【００１８】
使用時、テキストメッセージ、ｅメールメッセージ、またはダウンロードされたウェブページなどの受信信号は、通信サブシステム１０４によって処理され、プロセッサ１０２にインプットされる。プロセッサ１０２は、次いで受信信号を処理し、ディスプレイ１１２あるいは補助Ｉ／Ｏサブシステム１２４に受信信号をアウトプットする。加入者はまた、例えばｅメールメッセージなどのデータ項目を構成し得、データ項目は、通信サブシステム１０４を介してワイヤレスネットワーク１５０によって送信され得る。音声通信に関して、ポータブル電子デバイス１００の全体的動作は、同様である。スピーカ１２８は、電気信号から変換された可聴情報をアウトプットし、マイクロホン１３０は、可聴情報を電気信号に変換し、処理する。
【００１９】
タッチセンシティブディスプレイ１１８は、ウェブブラウザ、連絡先リスト、ｅメール、カレンダ、スプレッドシート、ワードプロセッシングなどのアプリケーションに入力される文字または記号などの情報を表示し、複数のキーまたはボタンであって、その各々が1つ以上の文字および／または機能に関連付けられる、複数のキーまたはボタンを有するキーボードなどの文字を入力するためのインタフェース領域を描画するように構成される。文字は、アルファベット文字、数字、制御文字、記号などを含む。
【００２０】
タッチセンシティブディスプレイ１１８はまた、対話または入力としても公知のしぐさを検出するように構成される。
【００２１】
しぐさは、概して、原点に始まり、原点から間隔を空けて置かれる終点まで接触し続ける、タッチセンシティブディスプレイ１１８にタッチするタイプである。しぐさは、例えば、１つの原点と１つの終点とを含む、フリックとしても公知の１回のスワイプ、２つの原点と２つの終点とを含む２回のスワイプ、他の複数のスワイプを含み得、または１つのタッチまたは他の適切なタッチ事象と組み合せた１つ以上のスワイプなどの複数のタッチ局面を含み得る。各しぐさは、距離および／または継続時間において長いかまたは短い場合がある。しぐさの２点は、しぐさの方向を説明するベクトルを決定するために利用される。方向はタッチセンシティブディスプレイ１１８に対して参照させられ得、情報の配向はタッチセンシティブディスプレイ１１８に表示され、または他の参照がなされ得る。参照を提供する目的のために、本明細書において利用される場合、「水平」は、表示される情報の配向に対して左から右の走査または右から左への走査に実質的に平行である方向を含み、「垂直」は、表示される情報の配向に対して上から下への走査（下方）または下から上への走査（上方）に実質的に平行である方向を含む。しぐさの終点は、しぐさの大きさまたは距離を決定するために利用され得る。しぐさの継続時間は、スワイプの終点から時間的に決定され得る。コントローラ１１６および／またはプロセッサ１０２は、しぐさの方向、大きさまたは継続時間を決定する。
【００２２】
タッチセンシティブディスプレイ１１８はまた、オーバレイ１１４上のタッチを受信し、オーバレイ１１４上のタッチを検出するように構成される。タッチが検出されると、タッチセンシティブディスプレイ上のタッチの位置が決定される。各アプリケーションは、典型的にはアプリケーションに対して表示される選択可能な特徴に関連付けられた位置の少なくとも１つのマップを含む。位置のマップは、キーボードの各キーを含め、各選択可能特徴に対するタッチセンシティブディスプレイ上の標的領域を含み、その結果、タッチが検出され、タッチの位置が複数のキーのうちの１つキーの標的領域内に入ることが決定されたとき、関連付けられた文字または機能が選択される。
【００２３】
後続するタッチがキーボード上で検出されたとき、シフト、シフトロック、およびキー関連の機能は、しぐさの検出に応答して実行される。完全なキーボード機能をなおも提供しながら、キーボードに対してより少ないキーが提供され得、それによって、タッチセンシティブディスプレイ１１８上でキーボードが要するスペースを減少させ、他の情報を表示するためのより大きいスペースを提供し得る。
【００２４】
以下のことは、しぐさおよび関連付けられた機能の例である。上へのしぐさが検出されたとき、シフト機能は係合され、それによって、大文字をキーボード上の位置に関連付け、キーの関連付けられた標的領域における後続するタッチによって選択される文字を大文字にする。２回の上へのしぐさが検出されたとき、シフトロック機能は、シフトロックが係合解除されるまで、大文字をキーボード上の位置に関連付けるように係合される。下方へのしぐさが検出されたとき、シフトロックオフ機能はシフトロック機能を係合解除するように係合し、小文字が再びキーボード上の位置に関連付けられる。左から右へのしぐさが検出されたとき、関連付けられた文字が変更される。例えば、スワイプなどの１回の左から右へのしぐさが検出されたとき、タッチセンシティブディスプレイ１１８上の位置に関連付けられたデフォルトまたは第１の組の文字はもはや表示されないで、第２の組の文字が、表示され、タッチセンシティブディスプレイ１１８上の位置に関連付けられる。第２の組の文字のうちの１つは、キーのそれぞれの標的領域上の後続するタッチによって選択され得る。２回のスワイプなど２回の左から右へのしぐさが検出されたとき、第２の組の文字は、第２のセットロックが係合解除されるまで、表示され、タッチセンシティブディスプレイ１１８上の位置に関連付けられる。従って、２回のしぐさは、タッチセンシティブディスプレイ１１８上の位置に関連する第２の組の文字をロックし、第２の組の文字を表示する。左から右へのしぐさが検出されたとき、第２の組の文字はもはや表示されないで、第１の組の文字が、表示され、タッチセンシティブディスプレイ１１８上の位置に関連付けられる。第１の１回のしぐさの後かつ別のタッチの前に、第２の１回の左から右へのしぐさが検出されたとき、第３の組の文字が、表示され、タッチセンシティブディスプレイ上の位置に関連付けられる。左から右へのしぐさの後かつ別のタッチの前に、２回の左から右へのしぐさが検出されたとき、第３の組の文字は、タッチセンシティブディスプレイ上の位置に関連付けられてロックされる。左から右へのしぐさが検出されたとき、第１の組の文字が、表示され、タッチセンシティブディスプレイ１１８上の位置に関連付けられ、それによって、タッチセンシティブディスプレイ１８８上の位置に関連付けられる第３の組の文字のロックを解除する。本明細書に説明されるものとは異なるしぐさ機能の関連付けは、本開示の教示から逸脱することなく、上に説明される関連付け以外に利用され得る。
【００２５】
図２は、タッチセンシティブディスプレイ１１８を有する電子デバイスを制御する方法を例示するフローチャートである。フローチャートは、コンピュータ読み取り可能媒体からの格納された命令を実行するプロセッサ１０２によって都合よく実行される。そのような方法を実行するソフトウェアのコーディングは、本説明が与えられる当業者の範囲内である。文字をインプットするインタフェース領域は、ポータブル電子デバイス１００のタッチセンシティブディスプレイ１１８上に描画される２０２。インタフェース領域は、例えばキーボードの複数のキーを含み得る。しぐさが検出されたとき２０４、上に説明されるようにしぐさの方向が決定される２０６。しぐさが実質的に垂直の方向に行われたとき、垂直の方向（上または下に）の決定がなされる。上へのしぐさが２０８において検出され、しぐさが、２１０における１回のスワイプなどの１回のしぐさであるとき、シフト機能が係合される２１２。プロセスは２０４において継続する。２１０においてしぐさが２回のしぐさであるとき、シフトロック機能は係合され２１４、プロセスは２０４において継続する。下へのしぐさが検出されたとき、シフトロック機能は係合される２１６。しぐさが実質的に水平の方向に行われたとき、水平の方向（左から右または右から左に）の決定がなされる２１８。左から右へのしぐさが検出され、しぐさが２２０における１回のしぐさであるとき、次の組の文字が、表示され、タッチセンシティブディスプレイ１１８上の位置に関連付けられる。２２０においてしぐさが２回のしぐさであるとき、１組の文字および次の組の文字は、キーボード上でロックされる２２４。右から左へのしぐさが検出されたとき、１組の文字はロック解除され２２６、デフォルトまたは第１の組の文字が、表示され、タッチセンシティブディスプレイ上の位置に関連付けられる。
【００２６】
ポータブル電子デバイス１００のタッチセンシティブディスプレイ１１８上のしぐさの例は、図３〜図５に示される。図３〜図５の各々は、ポータブル電子デバイス１００のタッチセンシティブディスプレイ１１８上の一連のタッチの例を示す。これらの例は、しぐさとして様々なスワイプを利用する。この例において、１組のキー３０２は、電子メール構成インタフェースにおけるＱＷＥＲＴＹレイアウトにおいて描画される。構成されている電子メッセージのヘッダ３０４と本文３０６とを含む情報が、キーボード３０２の上に示される。図３において、電子メールの本文３０６は、上の画面に示されるようにテキスト「Ｈｉ」を含み、原点３１０と終了点３１２とを含む１回の上へのスワイプは、図３の中間画面において矢印３０８によって示される。このスワイプが検出されたとき２０４、シフト機能は係合される２１２。シフト機能の視覚のインジケータが、提供され得る。スワイプが検出された後、タッチ３１４は「Ｊ」キーにおいて示される。下の画面に示されるように、関連付けられた文字は大文字「Ｊ」であり、大文字「Ｊ」がタッチセンシティブディスプレイ１１８上に表示される。タッチ３１４後、シフト機能はオフにされる。
【００２７】
図４は、ポータブル電子デバイスのタッチセンシティブディスプレイ上の一連のタッチの例を示す。電子メールの本文３０６は、テキスト「Ｈｉ」を含み、原点４０４、４０６と終了点４０８、４１０とを含む２回の上へのスワイプは、図４の上の画面に矢印４０２によって示される。このスワイプが検出されたとき２０４、シフトロック機能は係合され２０４、視覚のシンジケータが提供され得る。中間の画面において示されるように、スワイプが検出された後、タッチ４１２は「Ｊ」キーに示される。下の画面に表示されるように、大文字「Ｊ」は、タッチ位置に関連付けられ、タッチセンシティブディスプレイ１１８に表示される。タッチ４１２後、シフトロック機能はオンのままである。
【００２８】
図５は、ポータブル電子デバイスのタッチセンシティブディスプレイ上の一連のタッチの例を示す。図５の下の画面に示されるように、電子メッセージの本文５０２は、テキスト「Ｈｉ  Ｊ」を含み、原点５０６と終了点５０８とを含む１回の下へのスワイプは、矢印５０４によって示される。このスワイプが検出されたとき２０４、図４に示されるように係合されたシフトロック機能は、係合解除される２１６。タッチ５１０は、スワイプが検出された後、中間の画面において「Ｏ」キーに示される。下の画面において示されるように、小文字「ｏ」は、タッチ位置に関連付けられ、タッチセンシティブディスプレイ１１８上に表示される。
【００２９】
ポータブル電子デバイス１００のタッチセンシティブディスプレイ１１８上のしぐさの他の例は、図６〜図８に示される。これらの例は、しぐさとして様々なスワイプを利用する。図６は、ポータブル電子デバイスのタッチセンシティブディスプレイ上の一連のタッチの例を示す。電子メールの本文６０４は、テキスト「Ｈｉ  Ｊｏｈｎ、Ｃａｎ  ｗｅ  ｒｅｓｃｈｅｄｕｌｅ  ｆｏｒ  ａｂｏｕｔ（やあ、ジョン、スケジュールを変更することができるか）」を含み、原点６０８と終了点６１０とを含む１回の左から右へのスワイプは、図６の上の画面に矢印６０６によって示される。この左から右へのスワイプが検出されたとき、２０４、キー３０２の位置に関連付けられた１組の文字（この例では、ＱＷＥＲＴＹのキーボードレイアウトで配置されたアルファベットの文字である）は、キー３０２の位置に関連付けられ、もはや表示されない。１組の数字および記号の文字が、表示され、キー６０２の位置に関連付けられる２２２。タッチ６１４が、中間画面においてタッチセンシティブディスプレイ１１８上のタッチ位置に示される。下の画面に示されるように、数字「９」は、タッチ位置に関連付けられ、タッチセンシティブディスプレイ１１８上に表示される。タッチ６１４後、キー６０２の位置に関連付けられた数字および記号の文字は、もはや表示されないで、キー６０２の位置にもはや関連付けられない。１組のアルファベットの文字が、表示され、キー３０２の位置に関連付けられる２２２。
【００３０】
図７は、ポータブル電子デバイスのタッチセンシティブディスプレイ上の一連のタッチの例を示す。この例において、１組のアルファベットの文字は、電子メール構成インタフェースにおいてキー３０２の位置に関連付けられ、図７の上の画面における矢印７０４によって示される、原点７０６と終了点７０８とを含む１回の左から右へのスワイプが検出される。この左から右へのスワイプが検出されたとき２０４、キー３０２の位置に関連付けられる１組のアルファベット文字はもはや表示されないで、１組の数字および記号の文字が、表示され、キー６０２の位置に関連付けられる２２２。中間の画面に示されるように、１組の数字および記号の文字が、表示され、キー６０２の位置に関連付けられたとき、矢印７１２によって示される、原点７１４と終了点７１６とを含む１回の左から右へのスワイプが検出される。この左から右へのスワイプが検出されたとき２０４、キー６０２の位置に関連付けられた１組の数字および記号の文字は、もはや表示されないで、キー６０２の位置にもはや関連付けられない。その代わりに、下の画面に示されるように、さらなる組の記号文字が、表示され、キー７０２の位置に関連付けられる２２２。キーボードの複数のキー７０２のうちの１つのキーの位置におけるタッチは、結果として、タッチ位置に関連付けられる文字の選択および表示をもたらす。タッチ後、キー７０２の位置に関連付けられた１組の記号文字は、もはや表示されなくて、アルファベット文字が、表示され、キー３０２の位置に関連付けられる。
【００３１】
図８は、ポータブル電子デバイスのタッチセンシティブディスプレイ上の一連のタッチの例を示す。この例において、１組のアルファベットの文字が、表示され、電子メール構成インタフェースにおいてキー３０２の位置に関連付けられる。図８の上の画面における矢印８０４によって示される、原点８０６、８０８と終了点８１０、８１２とを含む２回の左から右へのスワイプが検出される。この２回の左から右へのスワイプが検出されたとき２０４、キー３０２の位置に関連付けられる１組のアルファベット文字は、もはや表示されないで、キー３０２の位置にもはや関連付けられない。中間の画面に示されるように、１組の数字および記号の文字が、表示され、キー６０２の位置に関連付けられ２２２、キー６０２の位置に関連付けられた１組の数字および記号の文字は、キーボード上においてロックされる２２４。ある位置におけるタッチが、１組のキー６０２のうちの１つのキーに関連付けられた後、関連付けられた文字の選択および表示を引き起こし、１組の数字および記号の文字は、表示されたままであり、キー６０２の位置に関連付けられたままである。表示され、キー６０２の位置に関連付けられた１組の数字および記号の文字がキーボード上でロックされたとき２２４、図８の下の画面における矢印８１６によって示される、原点８１８と終了点８２０とを含む、１回の右から左へのスワイプが検出される。この右から左へのスワイプが検出されたとき２０４、キー６０２の位置に関連付けられた１組の数字および記号の文字は、もはや表示されないで、キー６０２の位置にもはや関連付けられない。１組のアルファベット文字が、表示され、キー３０２の位置に関連付けられ、それによって、キー６０２の位置に関連付けられた文字をロック解除する。
【００３２】
方法は、ポータブル電子デバイスのタッチセンシティブディスプレイ上の複数の位置に関連付けられる第１の複数の文字をインプットするためのインタフェース領域を描画することと、タッチセンシティブディスプレイによって、タッチセンシティブディスプレイ上の第１の方向への第１のしぐさを検出することと、第１のしぐさを検出することに応答して第２の組の文字を複数の位置に関連付けることとを含む。
【００３３】
コンピュータ読み取り可能媒体は、上記の方法を実行するために、ポータブル電子デバイスの少なくとも１つのプロセッサによって実行可能なコンピュータ読み取り可能コードを有する。
【００３４】
ポータブル電子デバイスは、タッチセンシティブディスプレイであって、タッチセンシティブディスプレイ上の複数の位置に関連付けられる第１の複数の文字をインプットするためのインタフェース領域を描画することと、第１の方向において第１のしぐさを検出することとを行うように構成される、タッチセンシティブディスプレイを含む。ポータブル電子デバイスはまた、プロセッサであって、第１のしぐさが検出されたとき、第２の組の文字を複数の位置に関連付けるように構成される、プロセッサを含む。
【００３５】
好都合にも、しぐさが検出されたとき、タッチセンシティブディスプレイ上における１組の文字の表示および１組の文字の位置への関連付けは切断され得、新しい組の文字が表示され、位置に関連付けられ得る。従って、キーはしぐさによって実行される機能を実行する必要はないので、キーボードの１組のキーは減少させられ得る。キーボードを描画するためのタッチセンシティブディスプレイ上のスペースは、減少させられ得る。なぜなら、より少ないキーが用いられ得、それによって、キーボードを用いて入力される情報などの情報を表示する、より大きいスペースを提供し得るからである。その結果、より多くの量の情報がタッチセンシティブディスプレイ上の１つの画面に表示され得る。従って、より少ない画面が、情報を表示するために描画され、プロセス時間およびデバイス使用時間を減少させ、用いられるパッテリ電力を減少させ得る。
【００３６】
本開示は、本開示の精神または本質的な特性から逸脱することなく、他の特定の形態で実施され得る。説明される実施形態は、すべての点において、例示的のみであり、制限的ではないことを考慮されるべきである。従って本開示の範囲は、前述の説明によるよりはむしろ添付の特許請求の範囲によって指示される。特許請求の範囲の均等性の意味および範囲内に入るすべての変更は、特許請求の範囲内に含まれるべきである。
【符号の説明】
【００３７】
１００  ポータブル電子デバイス
１０２  プロセッサ
１０４  通信サブシステム
１０６  デコーダ
１０８  ランダムアクセスメモリ
１１０  メモリ
１１２  ディスプレイ
１１８  タッチセンシティブディスプレイ
１５０  ワイヤレスネットワーク
【図１】
2011103125.tif 000003
【図２】
2011103125.tif 000004
【図３】
2011103125.tif 000005
【図４】
2011103125.tif 000006
【図５】
2011103125.tif 000007
【図６】
2011103125.tif 000008
【図７】
2011103125.tif 000009
【図８】
2011103125.tif 000010